(57)【特許請求の範囲】
【請求項１】
背板部とこの背板部の両側から手前に延在する内側片部とを有するケース本体と、
背板部と前板部とに実質的に平行な細長孔の衛生薄葉紙の取出口を有し、前記ケース本体の下部において内側片部間で固定されたペーパー支持体と、
前板部とこの前板部の両側から奥側に延在する外側片部とを有し、各外側片部がケース本体の内側片部に対して回動自在に軸支され、かつ前記前板部がケース本体の背板部と平行な位置を閉じた状態とする開閉自在な蓋体と、を備え、
複数枚を重層した衛生薄葉紙束を前記ペーパー支持体上に載置して収容し、前記取出口から衛生薄葉紙を一枚ずつ引き出せるようにした衛生薄葉紙ディスペンサーであって、
前記背板部の前板部と対面する面に、手前側に突出する奧側ガイドリブを有し、前記前板部の背板部と対面する面に、奥側に突出する手前側ガイドリブを有し、それらのガイドリブが、ケース上部側からペーパー支持体側に向かって突出長が増すように構成されて、前記奥側ガイドリブと前記手前側ガイドリブとの間に位置する衛生薄葉紙束の一部が、その下方位置に向かうにしたがって撓み、当該衛生薄葉紙束の一部の上方部分の重量が下方部分に加わり難くなる加重調整機能を有し、
かつ、それらガイドリブの最下端と前記ペーパー支持体とのクリアランスが０．５〜１５ｃｍであるとともに、前記ペーパー支持体が、前記背板部側から前記取出口に向かって下り傾斜する奧側傾斜面と、前記前板部側から前記取出口に向かって下り傾斜する手前側傾斜面とを有し、その奥傾斜面と手前傾斜面との交差角が３０°〜１２０°とされ、各傾斜面に衛生薄葉紙がガイドされて前記取出口に案内されるように構成されている、
ことを特徴とする衛生薄葉紙ディスペンサー。
【請求項２】
背板部とこの背板部の両側から手前に延在する内側片部とを有するケース本体と、
背板部と前板部とに実質的に平行な細長孔の衛生薄葉紙の取出口を有し、前記ケース本体の下部において内側片部間で固定されたペーパー支持体と、
前板部とこの前板部の両側から奥側に延在する外側片部とを有し、各外側片部がケース本体の内側片部に対して回動自在に軸支され、かつ前記前板部がケース本体の背板部と平行な位置を閉じた状態とする開閉自在な蓋体と、を備え、
複数枚を重層した衛生薄葉紙束を前記ペーパー支持体上に載置して収容し、前記取出口から衛生薄葉紙を一枚ずつ引き出せるようにした衛生薄葉紙ディスペンサーであって、
前記背板部の前板部と対面する面に、手前側に突出する奧側ガイドリブを有し、前記前板部の背板部と対面する面に、奥側に突出する手前側ガイドリブを有し、それらのガイドリブが、ケース上部側からペーパー支持体側に向かって突出長が増すように構成されて、前記奥側ガイドリブと前記手前側ガイドリブとの間に位置する衛生薄葉紙束の一部が、その下方位置に向かうにしたがって撓み、当該衛生薄葉紙束の一部の上方部分の重量が下方部分に加わり難くなる加重調整機能を有し、
かつ、それらガイドリブの最下端と前記ペーパー支持体とのクリアランスが０〜５ｍｍであるとともに、前記ペーパー支持体が、前記背板部側から前記取出口に向かって下り傾斜する奧側傾斜面と、前記前板部側から前記取出口に向かって下り傾斜する手前側傾斜面とを有し、その手前側傾斜面及び奥側傾斜面の各傾斜面が、上方側に位置する急傾斜面と下方側に位置する緩傾斜面とが連続して形成され、
その奥傾急斜面と手前傾急斜面との交差角が８０〜１００°、奥側緩斜面と手前側緩斜面との交差角が１２０〜１６０°とされ、各傾斜面に衛生薄葉紙がガイドされて前記取出口に案内されるように構成されている、ことを特徴とする衛生薄葉紙ディスペンサー。
【請求項３】
前記ガイドリブの最下端における突出幅が２０ｍｍ以下である、請求項１又は２記載の衛生薄葉紙ディスペンサー。
【請求項４】
前記ガイドリブの最下端における突出幅が１．５〜２０ｍｍである、請求項３記載の衛生薄葉紙ディスペンサー。
【発明の詳細な説明】
【技術分野】
【０００１】
本発明は、衛生薄葉紙ディスペンサーに関する。さらに詳しくは、キッチンペーパー、ペーパータオル、手ふき用等の清拭用ワイプなどの衛生薄葉紙が多数枚重層された衛生薄葉紙積層体を内部に収納し、底部に設けられた取出口から衛生薄葉紙積層体のうち最下面の最下衛生薄葉紙を１枚ずつ取り出すための衛生薄葉紙ディスペンサーに関する。
【背景技術】
【０００２】
この種のディスペンサーは、その形状は種々であるが、底部に取出口が形成されていて、複数の衛生薄葉紙を折り畳み積層した衛生薄葉紙積層体を納め、前記取出口から１枚ずつ摘んで取り出せるようにした構造を採る。
このディスペンサーを用いると、問題がなければ、衛生薄葉紙積層体は、個々の衛生薄葉紙の紙特有の摩擦によって、最底部の衛生薄葉紙を取出口から引き出すと、次の衛生薄葉紙の一部が取出口から露出される。
【特許文献１】特開２００６−２０４４０４
【特許文献２】特開２００１−８７１６１
【特許文献３】実開平４−１００４８０
【特許文献４】実開平４−５０６８１
【発明の開示】
【発明が解決しようとする課題】
【０００３】
しかしながら、従来のこの種のディスペンサーにおいては、取出口から一枚の衛生薄葉紙を取り出した後に、取出口から後続の一枚の薄葉紙のみならず多数の衛生薄葉紙が束となって引き出されてしまったり、反対に後続の薄葉紙の一部が露出されないことが多々あった。
特に、ディスペンサー内の衛生薄葉紙の枚数が少ない場合に、多数の衛生薄葉紙が束となって引き出されてしまうことがよく生じている。
そこで、本発明の主たる課題は、衛生薄葉紙の取り出し性を改善し、取出口から衛生薄葉紙を一枚ずつスムーズに取り出すことができる衛生薄葉紙ディスペンサーを提供することにある。
【課題を解決するための手段】
【０００４】
上記課題を解決した請求項１記載の発明は、
背板部とこの背板部の両側から手前に延在する内側片部とを有するケース本体と、
背板部と前板部とに実質的に平行な細長孔の衛生薄葉紙の取出口を有し、前記ケース本体の下部において内側片部間で固定されたペーパー支持体と、
前板部とこの前板部の両側から奥側に延在する外側片部とを有し、各外側片部がケース本体の内側片部に対して回動自在に軸支され、かつ前記前板部がケース本体の背板部と平行な位置を閉じた状態とする開閉自在な蓋体と、を備え、
複数枚を重層した衛生薄葉紙束を前記ペーパー支持体上に載置して収容し、前記取出口から衛生薄葉紙を一枚ずつ引き出せるようにした衛生薄葉紙ディスペンサーであって、
前記背板部の前板部と対面する面に、手前側に突出する奧側ガイドリブを有し、前記前板部の背板部と対面する面に、奥側に突出する手前側ガイドリブを有し、それらのガイドリブが、ケース上部側からペーパー支持体側に向かって突出長が増すように構成されて、前記奥側ガイドリブと前記手前側ガイドリブとの間に位置する衛生薄葉紙束の一部が、その下方位置に向かうにしたがって撓み、当該衛生薄葉紙束の一部の上方部分の重量が下方部分に加わり難くなる加重調整機能を有し、
かつ、それらガイドリブの最下端と前記ペーパー支持体とのクリアランスが０．５〜１５ｃｍであるとともに、前記ペーパー支持体が、前記背板部側から前記取出口に向かって下り傾斜する奧側傾斜面と、前記前板部側から前記取出口に向かって下り傾斜する手前側傾斜面とを有し、その奥傾斜面と手前傾斜面との交差角が３０°〜１２０°とされ、各傾斜面に衛生薄葉紙がガイドされて前記取出口に案内されるように構成されている、
ことを特徴とする衛生薄葉紙ディスペンサーである。
【０００５】
この請求項１記載の発明によれば、手前側斜面と奥側斜面を設け、その交差角が３０°〜１２０°となるようにしたことで、ディスペンサー内の衛生薄葉紙束が減少して、ディスペンサー内の衛生薄葉紙束が少なくなってきたときに、手前側斜面と奥側斜面との間で衛生薄葉紙が適度に支持されるようになる。
この支持によって、スムーズな引き出しがなされるようになるとともに、特に、衛生薄葉紙束が少ないときに束となって引き出される事故が格段に減少する。
また、奥側ガイドリブと手前側ガイドリブとの間は下方に行くにしたがって狭くなるため、ガイドリブ間に位置する衛生薄葉紙束の一部が、下方位置のほうがガイドリブによってより支持されるとともに撓むようになり、もって当該衛生薄葉紙束の一部の上方部分の重量が下方部分に加わり難くなる加重調整機能が発揮され、これにより、下方の衛生薄葉紙束が引き出されたときに、それよりも上方の衛生薄葉紙束が、重力によって複数枚の束となって落ちるということが防止される。
【０００６】
他方、請求項２記載の発明の発明は、
背板部とこの背板部の両側から手前に延在する内側片部とを有するケース本体と、
背板部と前板部とに実質的に平行な細長孔の衛生薄葉紙の取出口を有し、前記ケース本体の下部において内側片部間で固定されたペーパー支持体と、
前板部とこの前板部の両側から奥側に延在する外側片部とを有し、各外側片部がケース本体の内側片部に対して回動自在に軸支され、かつ前記前板部がケース本体の背板部と平行な位置を閉じた状態とする開閉自在な蓋体と、を備え、
複数枚を重層した衛生薄葉紙束を前記ペーパー支持体上に載置して収容し、前記取出口から衛生薄葉紙を一枚ずつ引き出せるようにした衛生薄葉紙ディスペンサーであって、
前記背板部の前板部と対面する面に、手前側に突出する奧側ガイドリブを有し、前記前板部の背板部と対面する面に、奥側に突出する手前側ガイドリブを有し、それらのガイドリブが、ケース上部側からペーパー支持体側に向かって突出長が増すように構成されて、前記奥側ガイドリブと前記手前側ガイドリブとの間に位置する衛生薄葉紙束の一部が、その下方位置に向かうにしたがって撓み、当該衛生薄葉紙束の一部の上方部分の重量が下方部分に加わり難くなる加重調整機能を有し、
かつ、それらガイドリブの最下端と前記ペーパー支持体とのクリアランスが０〜５ｍｍであるとともに、前記ペーパー支持体が、前記背板部側から前記取出口に向かって下り傾斜する奧側傾斜面と、前記前板部側から前記取出口に向かって下り傾斜する手前側傾斜面とを有し、その手前側傾斜面及び奥側傾斜面の各傾斜面が、上方側に位置する急傾斜面と下方側に位置する緩傾斜面とが連続して形成され、
その奥傾急斜面と手前傾急斜面との交差角が８０〜１００°、奥側緩斜面と手前側緩斜面との交差角が１２０〜１６０°とされ、各傾斜面に衛生薄葉紙がガイドされて前記取出口に案内されるように構成されている、ことを特徴とする衛生薄葉紙ディスペンサーである。
【０００７】
請求項２記載の発明は、手前側傾斜面、奥側傾斜面の各傾斜面に急傾斜面と緩斜面とを形成し、急斜面同士の交差角を８０〜１００°、緩斜面同士の交差角を１２０〜１６０°とした。
【０００８】
本請求２記載の発明は、緩斜面と急斜面とを設けたことで、まず、上方に位置する急斜面間では衛生薄葉紙束が強く支持され、下方の緩斜面間では弱く支持される支持される。
【０００９】
そして、急斜面同士及び緩斜面同士の交差角を上記の設定にしたことで、引き出しの際にはまず下方の緩斜面の存在によって極めてスムーズな引き出しが開始され、所定長さ引き出されたところで、急斜面に支持されている最下部の薄葉紙が緩斜面に向かって移動される。この作用によって常にスムーズな引き出し操作が行なわれるようになる。
【００１０】
また、ディスペンサー内の衛生薄葉紙束が減少して、ディスペンサー内の衛生薄葉紙束が少なくなってきたときには、急斜面から緩斜面に落ちた束が、その急斜面との間の変曲部及び緩斜面で衛生薄葉紙が適度に支持されるので、取出口から一気に束となって引き出される事故は格段に減少する。
【００１１】
また、請求項２記載の発明においても、前記背板部の前板部と対面する面に、手前側に突出する奧側ガイドリブを有し、前記前板部の背板部と対面する面に、奥側に突出する手前側ガイドリブを有し、各ガイドリブは、ケース上部側からペーパー支持体側に向かって突出長が増すように構成されている。
【００１２】
したがって、奥側ガイドリブと手前側ガイドリブとの間は下方に行くにしたがって狭くなるため、ガイドリブ間に位置する衛生薄葉紙束の一部は、下方位置のほうがガイドリブによってより支持されるとともに撓むようになり、もって当該衛生薄葉紙束の一部の上方部分の重量が下方部分に加わり難くなる加重調整機能が発揮され、これにより、下方の衛生薄葉紙束が引き出されたときに、それよりも上方の衛生薄葉紙束が、重力によって複数枚の束となって落ちるということが防止される。
【００１３】
前記ガイドリブの最下端における突出幅は、２ｃｍ以下、特に１．５〜２．０ｃｍ以下であるのが望ましい。
【発明の効果】
【００１４】
以上のとおり本発明によれば、ディスペンサー内のペーパー支持体上において、積層された衛生薄葉紙の下方部分との加重、摩擦がバランスよく調整され、スムーズな引き出しがなされるとともに、薄葉紙束が少なくなってきたときに束になって複数枚が引き出される事故等が極めて好適に防止された衛生薄葉紙ディスペンサーが提供される、
【発明を実施するための最良の形態】
【００１５】
次いで、本発明の実施の形態を図面を参照しながら以下に詳述する。
＜第１の実施の形態＞
次いで、本発明の実施の形態を図１〜３を参照しながら以下に詳述する。図１は、本形態の衛生薄葉紙ディスペンサーＸ１の分解斜視図であり、図２は、蓋体３を開いた状態を示す斜視図であり、図３は、側面側から見たディスペンサー内部の模式図である。
【００１６】
本発明の衛生薄葉紙ディスペンサーは、その素材が例えばＡＢＳ樹脂等の合成樹脂であり、ケース本体１と、ペーパー支持体２と、蓋体３とで構成されている。
【００１７】
ケース本体１は、天板部１０と背板部１１とこの背板部１１の両側縁において、前記背板部１１と直角をなして手前に延在する左右一対の内側片部１２，１２とを有する。
内側片部１２，１２の下部には、ペーパー支持体２を固定及び位置決めするための位置決め用孔１２Ａが形成されている。
本形態ではペーパー支持体の位置を変更できるように一つの内側片に二つの位置決め用孔１２Ａが形成されている。
位置決め用孔１２Ａの形状については特に限定されない。円形孔であっても四角形孔であってもよい。図示例では、円形孔を採用している。
【００１８】
他方、内側片部１２，１２の下部には、さらに位置決め孔１２Ａとは別に、ペーパー支持体２の固定を確実にするために、位置決め孔１２Ａに対応する係止用長孔１２ａが形成されている。
本形態では、位置決め用孔１２Ａに対応するように一つの内側片に二つの係止用長孔１２ａが形成されている。
図示例では、係止用長孔１２ａは、位置決め孔１２Ａの上部側に適当距離離間した位置に形成されている。なお、この係止用長孔の形状も適宜変更することが可能である。
【００１９】
さらに、内側片部１２，１２の下部には、前記ペーパー支持体２を固定するための位置決め用孔等１２Ａとは別に、前記蓋体３が連結される一対の蓋体連結用円孔１３Ａが形成されている。
本形態では、蓋体の取り付け位置を調整できるように、一つの内側片に二つの蓋体連結用円孔１３Ａを形成している。
【００２０】
他方、ペーパー支持体２は、前記背板部１１と略平行であって中央部が幅広とされたスリット状の取出口２０を有し、前記ケース本体１の下部において前記各側片部１２，１２に対して固定されていてディスペンサーＸ１の底部を構成している。
このペーパー支持体２は、左右側部に位置決め用突起部２１を有しており、この位置決め用突起部２１を前記一対の位置決め用孔に嵌合して、前記側片部間の所定位置に位置決めされる。
また、ペーパー支持体２は、左右側部のそれぞれに位置決め用突起部２１とは別の係止片２２を有しており、前記位置決め用突起部２１の位置決め孔１２Ａへの嵌合とともに、これを係止長孔１２ａに嵌合して、ペーパー支持体２がケース本体１の側片部１２，１２間に固定されている。
【００２１】
他方、蓋体３は、天板部３０と前板部３１と前板部３１の両側縁において前記前板部３１と直角をなして奧側に延在する外側片部３２，３２とを有し、底側は解放されている。
前板部３１の高さはケース本体１の背板部１１より若干高く、また外側片部３２，３２の間はケース本体１の内側片部間１２，１２よりも若干幅広に形成されている。
さらに、蓋体３は、その外側片部３２，３２の下部に形成された、対面する蓋側片部に向かって突出する円形突起３３，３３を有し、この円形突起３３，３３がケース本体１の前記一対の蓋体連結用円孔１３Ａに、内側片外方側から回動自在に嵌合されて、この突起部を軸にしてケース本体１に対して開閉可能とされている。
【００２２】
このように、本形態の衛生薄葉紙ディスペンサーＸ１では、各突起２１，２２，３３と孔１２Ａ，１２ａ，１３Ａとの嵌合によって、ケース本体１、ペーパー支持体２、蓋体３とが連結されて構成されている。
【００２３】
ここで、本形態の衛生薄葉紙ディスペンサーＸ１は、特徴的に、前記ペーパー支持体２の上面側に、前記背板部１１側から前記取出口２０に向かって、その取出口縁まで下り傾斜する奧側傾斜面２４と、前記前板部３１側から前記取出口２０に向かって、その取出口縁まで下り傾斜する手前側傾斜面２５とが形成されている。
【００２４】
これら傾斜面２４，２５の存在により、使用時、すなわち複数枚を重層した衛生薄葉紙束Ｐを前記ペーパー支持体２上に載置して収容し、前記取出口２０から衛生薄葉紙を一枚ずつ引き出す際に、最も下側の最下衛生薄葉紙Ｐ１とその一枚上の衛生薄葉紙Ｐ２の下側縁が前記傾斜面２４，２５にガイドされて前記取出口へと案内されるようになる。
【００２５】
そして、本発明では、その奥側傾斜面２４と手前側傾斜面２５との交差角を３０°〜１２０°の範囲にしたことで、衛生薄葉紙の案内がスムーズかつ確実なものとなり、取り出し時に取出口から衛生薄葉紙が束となって出てきたり、取り出した衛生薄葉紙の一枚上の衛生薄葉紙の一下側縁が取出口から露出されないといった事故が、格段に少なくなる。
【００２６】
さらに、本形態の衛生薄葉紙ディスペンサーＸ１は、好ましい形態として、各傾斜面の交差角３０°〜１２０°としたことに加えて、背板部１１の前板部３１と対面する面に、手前側に突出する奧側ガイドリブ１５が形成され、前記前板部３１の背板部１１と対面する面に、奥側に突出する手前側ガイドリブ３５が形成されている。
【００２７】
本形態では、図では見えていないが、奧側ガイドリブ１５は、前記各内側片１２，１２から所定距離離間した位置に１本ずつ計２本が並ぶように配置されており、手前側ガイドリブ３５も同様に、前記各外側片３２，３２から所定距離離間した位置に１本ずつ計２本が並ぶように形成されている。ただし、各ガイドリブの本数はこれに限定されない。
【００２８】
また、本形態では、奥側ガイドリブ１５と手前側ガイドリブと３５は蓋３を閉めた際に相対する位置に形成されているが、必ずしもこのように形成する必要はない。
これらのガイドリブ１５，３５は、ケース上部側からペーパー支持体２側に向かって、比例的に突出長が増すように構成されており、これらガイドリブ１５，３５の存在により、衛生薄葉紙束Ｐを収納したときのペーパー支持体２上面への衛生薄葉紙束重量による加重が軽減され、前記傾斜面２４，２５による最下Ｐ１及びそれより一枚上Ｐ２の衛生薄葉紙の案内がよりスムーズ及び確実なものとなる。
【００２９】
ここで、前記ガイドリブの高さ（長さ）は、衛生薄葉紙の積み上げ量、すなわち収納量に応じて適宜設計すればよい。概ね１５〜４０ｃｍ程度あればよい。
【００３０】
また、前記ガイドリブ最下端とペーパー支持体とのクリアランスは０．５〜１５ｃｍであるのがよい。０．５ｃｍ未満であると、特に収納量が多い場合に加重調整機能の効果が得られないことがある。
【００３１】
さらに、前記ガイドリブは、最下端における突出幅Ｌ１が２０ｍｍ以下、好適には１．５〜２０ｍｍであるのがよい。２０ｍｍを超えると収納量が多い場合に衛生薄葉紙束がＵ字に湾曲し易くなり、取出口から衛生薄葉紙を一枚ずつ引き出す際に、スムーズに取り出すことが困難となる。１．５ｍｍ未満であるとガイドリブによる効果が十分に発揮されなくなる。
【００３２】
なお、衛生薄葉紙を一般的な清拭用ワイプ（中判サイズ２２０×２３０ｍｍ）を二つ折りにして折返し縁を重ねた衛生薄葉紙束に用いる場合、奧側ガイドリブの最下突出端と、手前側ガイドリブの最下突出端との間の距離Ｌ２を５〜１５ｃｍとするのがよい。効果的に加重調整がなされる。
【００３３】
＜第２の実施の形態＞
次いで、第２の実施の形態の衛生薄葉紙ディスペンサーＸ２を図４〜１０を参照しながら説明する。図４は、本形態の衛生薄葉紙ディスペンサーの正面図、図５は、そのＩＩ−ＩＩ断面図、図６は、ケース本体の側面断面図、図７はケース本体の正面図、図８はペーパー支持体の上面図、図９はペーパー支持体の正面図、図１０は、蓋体の側面断面図である。
【００３４】
この衛生薄葉紙ディスペンサーＸ２は、第１の実施の形態と同様に、その素材が例えばＡＢＳ樹脂等の合成樹脂であり、ケース本体１と、ペーパー支持体２と、蓋体３とで構成されている。
【００３５】
ケース本体１は、天板部１０と背板部１１とこの背板部１１の両側縁において、前記背板部１１と直角をなして手前に延在する左右一対の内側片部１２，１２とを有する。
内側片部１２，１２の下部には、ペーパー支持体２を固定及び位置決めするための位置決め用孔１２Ａが形成されている。
本形態においても、位置決め用孔１２Ａの形状については特に限定されない。円形孔であっても四角形孔であってもよい。図示例では、四角形孔を採用している。
【００３６】
また、内側片部１２，１２の下部には、さらに位置決め孔１２Ａとは別に、ペーパー支持体２の固定を確実にするために、位置決め孔１２Ａに対応する係止用長孔１２ａが形成されている。
本形態においても、位置決め用孔１２Ａに対応するように一つの内側片に二つの係止用長孔１２ａが形成されている。
図示例では、係止用長孔１２ａは、位置決め孔１２Ａの上部側に適当距離離間した位置に形成されている。なお、この係止用長孔の形状も適宜変更することが可能である。
【００３７】
さらに、内側片部１２，１２の下部には、前記ペーパー支持体２を固定するための位置決め用孔等１２Ａとは別に、前記蓋体３が連結される一対の蓋体連結用円孔１３Ａが形成されている。
本形態においても、蓋体３の取り付け位置を調整できるように、一つの内側片に蓋体連結用円孔１３Ａを形成している。
【００３８】
他方、前記ペーパー支持体２は、前記背板部側から手前側に向かって下り傾斜する奧側傾斜面２４と、前記前板部側から前記奥側に向かって下り傾斜する手前側傾斜面２５と、前記奥側傾斜面２４と手前側傾斜面２５とを連接する支持体側板２６，２６とを有し、両斜面２４，２５の下縁間に衛生薄葉紙の取出口２０を有する。
【００３９】
また、本形態のペーパー支持体２では、前記支持体側板２６，２６の外面に位置決め用突起部２１を有しており、この位置決め用突起部２１を前記一対の位置決め用孔に嵌合して、前記内側片部間の所定位置に位置決めされている。さらに、位置決め用突起部２１とは別の係止片２２を有しており、前記位置決め用突起部２１の位置決め孔１２Ａへの嵌合とともに、これを係止長孔１２ａに嵌合して、ペーパー支持体２がケース本体１の内側片部１２，１２間に固定されている。
このようにしてペーパー支持体２は、前記ケース本体１の下部において前記各内側片部１２，１２に対して固定されていてディスペンサーＸ１の底部を構成している。
【００４０】
このようにペーパー支持体２を構成すると、前記傾斜面２４，２５の存在により、使用時、すなわち前記取出口２０から衛生薄葉紙を一枚ずつ引き出す際に、最も下側の最下衛生薄葉紙とその一枚上の衛生薄葉紙の下側縁が前記傾斜面２４，２５にガイドされて前記取出口へと案内される。
【００４１】
他方、本形態の衛生薄葉紙ディスペンサーＸ１では、前記奥側傾斜面２４及び手前側傾斜面２５の上縁、さらに支持体側板２６，２６の上縁から上方に向かって実質的に垂直に延在する垂直面２７を有し、この垂直面２７によって上下解放の枡形の壁面２７が形成されている。この枡形の壁面２７に囲まれる部分に衛生薄葉紙束が収容される。この垂直面２７により、衛生薄葉紙束の側方、特に手前奥方向への動きが拘束され、前記取出口２０からの取り出し操作をしたときに、ディスペンサー内で不要に動くことがなくなり、安定して取り出せる効果の一端を担う。
【００４２】
また、前記各傾斜面２４，２５と垂直面２７との間の屈曲部分２４ｔ，２５ｔにより衛生薄葉紙束の下縁部又はその近傍が支持されるようになり、使用時、特にディスペンサー内部の薄葉紙の枚数が少なくなったときに一度に多数枚が引き出されてしまうという事故が格段に減少する。
【００４３】
さらに、本形態においては、特徴的に、前記奥側傾斜面２４及び手前側傾斜面２５の各傾斜面２４，２５は、上方側に位置する急傾斜面２４Ａ，２５Ａと下方側に位置する緩傾斜面２５Ｂ，２５Ｂとが変曲部２８，２８を介して連続するように形成されている。
【００４４】
本形態においては、特に  図１１に示すように、その奥傾急斜面と手前傾急斜面との交差角∠ａは８０〜１００°であり、奥側緩斜面と手前側緩斜面との交差角∠ｂは１２０〜１６０°となっている。
【００４５】
このように手前側傾斜面２５及び前記奥側傾斜面２４の各傾斜面２４，２５を二種の傾斜面で構成し、それぞれ上記の所定交差角にすることで、衛生薄葉紙の案内を確保してスムーズな引き出しを可能にしつつも、衛生薄葉紙束を取り出したときにその下方側のばらけた衛生薄葉紙の数枚が当該以外変曲線２８、２８で支持されるようになり、使用時、特にディスペンサー内部の薄葉紙の枚数が少なくなったときに一度に多数枚が引き出されてしまうという事故がより一層に減少する。
【００４６】
他方、本形態のペーパー支持体２は、前記支持体側板２６から内側に突出する突起部２９，２９を有している。すなわち、突起部２９，２９は前記垂直面２７よりも下方に位置している。この位置に突起部２９，２９を形成したことで前記収納された衛生薄葉紙束の下面（使用開始した後には下部）が支持される。
【００４７】
本形態では、この突起部２９，２９は好ましい形態として、天板部１０側から下方に向かって突出長さが長くなるように延出し、その下端部でさらに内側に向かって突出する凸部２９ｔ，２９ｔを有する形状となっている。このような突起部の形状とすると、支持体側板から突出する一対の突起部間の距離が下方にいくほど狭くなるため、衛生薄葉紙束は下方にいくほど下に凸となるように湾曲された状態で衛生薄葉紙束が支持される。この湾曲によって最下部の衛生薄葉紙が取出口から極めて摘み易くなる。また、引き出し時に適度な抵抗を与え、スムーズな引き出しと後続の衛生薄葉紙が束になって引き出されることを効果的に防止する。
【００４８】
また、衛生薄葉紙束を収納したときに衛生薄葉紙束重量による加重が下方に行くほど軽減され、前記傾斜面２４，２５による最下及びそれより一枚上の衛生薄葉紙の案内がよりスムーズ及び確実なものとなる。
【００４９】
また、本形態の突起部は、前記凸部の上面側が半球状になっている。これにより、衛生薄葉紙を引き出した時に引っかかることなくスムーズに取出口へと移動される。
【００５０】
ただし、前記突起部２９，２９と傾斜面と間の最短離間距離Ｌ３は６ｍｍ〜１２ｍｍとするのが望ましい。６ｍｍ以下であると、取出し口との距離が近く、紙を取り出す時に突起部に紙が引掛かりやすくなり、引き出し抵抗が悪くなる。また、１２ｍｍ以上の場合、取出し口と突起部の隙間が多すぎ、残り枚数が少なくなったときに束になってペーパータオルが落下しやすくなる。
【００５１】
他方、本形態のペーパー支持体２は、好適な例として、前記取出口２０が、手前側傾斜面２５と奥側傾斜面２４との間に位置し、前記背板部と前板部とに平行に延在する細長部２０Ｌと、前記ペーパー支持体の中央部で前記細長部と連続し、上面側に向かって略台形状に凹欠された凹欠部２０Ｖとで構成されている。なお、凹欠部の形状は略台形状に限られないがこの形状が本発明の効果を発現しやすく望ましい。
【００５２】
手前側及び奥側の凹欠部の何れか一方の凹欠部は、その上縁は傾斜面に連続する垂直面に位置している。好ましくは手前側の凹欠部の上縁が手前側傾斜面に連続する垂直面に位置しているのが望ましい。前記ペーパー支持体２上に載置された衛生薄葉紙束の積層面が当該凹欠部から露出されるように構成されている。
【００５３】
このように凹欠部を形成したことで、ペーパー束の積層面に触れることができ使用開始時に最初の一枚を摘みやすくなる。さらに、側部の押えが過度にならず、前記撓みと相まって引き出しがスムーズになされる、束になって引き出される事故も減少する。
【００５４】
他方、蓋体３は、天板部３０と前板部３１と前板部３１の両側縁において前記前板部３１と直角をなして奧側に延在する外側片部３２，３２とを有し、底側は解放されている。
【００５５】
前板部３１の高さはケース本体１の背板部１１より若干高く、また外側片部３２，３２の間はケース本体１の内側片部間１２，１２よりも若干幅広に形成されている。
【００５６】
さらに、蓋体３は、その外側片部３２，３２の下部に形成された、対面する蓋側片部に向かって突出する突起３３，３３を有し、この突起３３，３３がケース本体１の前記一対の蓋体連結用円孔１３Ａに、内側片外方側から回動自在に嵌合されて、この突起部を軸にしてケース本体１に対して開閉可能とされている。
【００５７】
前記蓋体の前板部は、下縁３１ｅの中央部が上縁側に向かって湾曲しており、取出口から衛生薄葉紙を摘みやすくしているともに、前記凹欠部から露出する衛生薄葉紙束の積層面に触れやすく一層、最初の一枚の引き出しをしやすくしている。
【００５８】
また、この湾曲縁の最上位置は、前記ペーパー支持体の垂直面の下縁、すなわち傾斜面との境界位置より下方に位置している。このため、正面視において前記端面は露出することがなく、水しぶきや埃等が前記端面に付着することが防止され、使用を控えている後続の衛生薄葉紙の衛生性が確保される。また、意匠性にも優れたものとなる。
【００５９】
他方、本形態の衛生薄葉紙ディスペンサーＸ２は、背板部１１の前板部３１と対面する面に、手前側に突出する奧側ガイドリブ１５が形成され、前記前板部３１の背板部１１と対面する面に、奥側に突出する手前側ガイドリブ３５が形成されている。
【００６０】
本形態では、奧側ガイドリブ１５は、前記各内側片１２，１２から所定距離離間した位置に１本ずつ計２本が並ぶように配置されており、手前側ガイドリブ３５も同様に、前記各外側片３２，３２から所定距離離間した位置に１本ずつ計２本が並ぶように形成されている。ただし、各ガイドリブの本数はこれに限定されない。
また、奥側ガイドリブ１５と手前側ガイドリブと３５は蓋３を閉めた際に相対する位置に形成する必要ない。
【００６１】
これらのガイドリブ１５，３５は、ケース上部側からペーパー支持体２側に向かって、比例的に突出長が増すように構成されており、これらの存在により、衛生薄葉紙束を収納したときのペーパー支持体２上面への衛生薄葉紙束重量による加重が軽減され、前記傾斜面２４，２５による最下衛生薄葉紙及びそれより一枚上の衛生薄葉紙の案内がよりスムーズ及び確実なものとなる。
【００６２】
また、これらガイドリブ１５，３５は、突出先端が、前記垂直面２７，２７よりもディスペンサーの内側、すなわち対向する前板部側若しくは背板部側に突出するように構成されているのがよい。
【００６３】
このように突出していることで、ガイドリブ間にある衛生薄葉紙束の一部の重量が、ガイドリブ１５，３５を通過して前記垂直面２７，２７間に移動した衛生薄葉紙束の一部へ加わり難くなり、もって上記説明のペーパー支持体におけるスムーズな引き出し機構と束になって引き出されることを防止する機能が効果的に発揮されるようになる。
【００６４】
これらガイドリブは、最下端における突出幅Ｌ１が２０ｍｍ以下、好適には１．５〜２０ｍｍであるのがよい。２０ｍｍを超えると収納量が多い場合に衛生薄葉紙束がＵ字に湾曲し易くなり、取出口から衛生薄葉紙を一枚ずつ引き出す際に、スムーズに取り出すことが困難となる。１．５ｍｍ未満であるとガイドリブによる効果が十分に発揮されなくなる。
【００６５】
ガイドリブの高さ（長さ）は、衛生薄葉紙の積み上げ量、すなわち収納量に応じて適宜設計すればよい。概ね１〜３０ｃｍ程度あればよい。
【００６６】
また、前記ガイドリブ最下端とペーパー支持体とのクリアランスは０〜５ｍｍであるのがよい。５ｍｍ以上であると、ペーパータオルがペーパー支持体の上部に引掛かり、下に落ちて来ない事がある。特に収納量が多い場合に加重調整機能の効果が得られないことがある。
【００６７】
さらに、前記ガイドリブは、衛生薄葉紙束の長手方向の長さの９９〜９０％程度に撓むように設計するのか良い。９０％以上撓むように設計すると、リブ間にペーパータオルが引掛かり下に落ちてきにくくなり、長手方向の長さ以上に設定すると、上からの荷重を押える事ができず、引き出した時の抵抗が大きく、取り出しにくくなる。
【００６８】
なお、衛生薄葉紙を一般的な清拭用ワイプ（中判サイズ２２０×２３０ｍｍ）を二つ折りにして折返し縁を重ねた衛生薄葉紙束に用いる場合、奧側ガイドリブの最下突出端と、手前側ガイドリブの最下突出端との間の距離を５〜１５ｃｍとするのがよい。効果的に加重調整がなされる。
【００６９】
＜第３の実施の形態＞
図１２に第３の実施の形態のケース本体及びペーパー支持体の側面図を示す。この第２の実施の形態は、奥側傾斜面２４の上縁から延在する垂直面２７がケース本体１の背板部１１に連続し、さらに支持体側板２６の上方から延在する垂直面２７がケース本体１の内側片部１２，１２に連続して、前記ケース本体１とペーパー支持体２とが一体となっている形態である。
従って、ケース本体１とペーパー支持体２との連結するための位置決め用孔、係止用長孔等は存在しない。
【００７０】
また、本形態では、手前側傾斜面２４から延在する垂直壁部が狭く形成されており、前記凹欠部の上縁が垂直面と傾斜面との間に位置するように構成している。
その他の構成については、第２の実施の形態と同様であるので説明は省略する。
【００７１】
この形態においては、このようにペーパー支持体２とケース本体１が一体であるため、大判サイズの衛生薄葉紙束など重量の重い衛生薄葉紙束を、ペーパー支持体２に乗せる際や引き出しのさいにペーパー支持体２に強い力が加わってもケース本体１から落下してしまうという事故がなくなる。なお、取出口２０からの衛生薄葉紙の取り出し性の改善に関する効果に関しては、第１の実施の形態と同様の効果を奏する。
【００７２】
また、ケース本体１とペーパー支持体２を一体化するにあたっては、樹脂形成などによって予め一体に成形するようにしてもよいし、接着剤等により接着して一体化してもよい。その方法は問わない。
【００７３】
さらに、図示例では第２の実施の形態と同様に奥側傾斜面、手前側傾斜面のそれぞれに緩斜面、急斜面を設けられている例であるが、第１の実施の形態と同様に、奥側傾斜面、手前側傾斜面が単一の傾斜面からなる構成においても、第３の実施の形態のように、ペーパー支持体とケース本体が一体的にすることができる。
【００７４】
＜試験例＞
次いで、本発明のディスペンサー（実施例１〜５）と、それ以外のディスペンサー（比較例１〜２）とについて、薄葉紙の取り出し性について試験した結果を示す。
実施例１〜４は、第２の実施の形態にかかるディスペンサーであり、実施例５は、第１の実施の形態にかかるディスペンサーである。
実施例１は、その急斜面同士の交差角を９０°、緩斜面同士の交差角を１４０°、リブ再下端の突出長さを１．７ｍｍとしたものである。
実施例２は、その急斜面同士の交差角を９０°、緩斜面同士の交差角を１４０°、リブ再下端の突出長さを３．７ｍｍとしたものである。
実施例３は、その急斜面同士の交差角を９０°、緩斜面同士の交差角を１４０°、リブ再下端の突出長さを５．７ｍｍとしたものである。
実施例４は、その急斜面同士の交差角を９０°、緩斜面同士の交差角を１４０°、リブ再下端の突出長さを０．０ｍｍとしたものである。
実施例５は、その手前側斜面、奥側斜面を一つの斜面で形成し、その交差角を１０５°とし、リブの突出長さを３ｍｍとしたものである。
比較例１は、その急斜面同士の交差角を１８０°、緩斜面同士の交差角を１４０°、リブ再下端の突出長さを２．０ｍｍとしたものである。
比較例２は、ペーパー支持体の底部が平面であり、そこに半円状の取出口が形成されている例である。
【００７５】
なお、各例においてリブのあるものについては、その高さは５ｃｍとした。また、各例における背板部と前板部との間の離間距離は１２９ｍｍである。
【００７６】
引き出し性は、各例にかかるディスペンサー内に、衛生薄葉紙６００枚からなる衛生薄葉紙束をセットしたのち、まず１０枚取り出す。その後に、取出口から露出している一枚の端縁中央に口幅３９ｍｍの目玉クリップを取付け、そのクリップにプッシュプルケージフックを引っかけて、真下に引いたときの荷重（ピーク値）を測定することで評価した。
【００７７】
なお、衛生薄葉紙束は、インターフォルダによってポップアップ（ダウン）式に折り畳み重層したものであり、その幅（奥側、手前側方向にセットされる方向の長さ）は１１５ｍｍのものを用いた。
また、衛生薄葉紙は、米坪４３ｇ／ｍ2、紙厚１９５μｍ、１枚重ね、２３０×２２０ｍｍの大王製紙（株）製の「エルヴェール  ペーパータオルシングル２００枚（中判）」を使用した。
【００７８】
結果、実施例１は、０．０７ｇ、実施例２及び３は０．０６ｇ、実施例４は０．１４ｇ、実施例５は０．１５ｇ、比較例１は０．２３ｇ、比較例２は０．１９ｇという結果になった。
【００７９】
この結果から、本発明の実施例は比較例よりも引き出し性に優れる傾向にあり、本発明の実施例のなかでも、傾斜面を急斜面と緩斜面とを形成した実施例１〜４がより優れる傾向にあり、さらにその中でも所定突出長さのリブを設けたものがより一層引き出し性に優れるという結果が得られた。
以上のとおり、本発明にかかるディスペンサーは、衛生薄葉紙の取り出し性が改善され、その取出口から衛生薄葉紙を一枚ずつスムーズに取り出すことができる。
【産業上の利用可能性】
【００８０】
この本発明は、キッチンペーパー、ペーパータオル、手拭き用等の清拭用ワイプ等の衛生薄葉紙が複数枚重層された衛生薄葉紙積層体を内部に収納し、底部に設けられた取出口から衛生薄葉紙積層体のうち最下面の最下衛生薄葉紙を１枚ずつ取り出すための衛生薄葉紙ディスペンサーに利用可能である。
【図面の簡単な説明】
【００８１】
【図１】第１の実施の形態本発明の衛生薄葉紙ディスペンサーを構成するケース本体、ペーパー支持体、蓋体を示す分解斜視図である。
【図２】蓋体を開いた状態の斜視図である。
【図３】側面側から見た本形態のディスペンサーＸ１の内部の模式図である。
【図４】第１の実施の形態の衛生薄葉紙ディスペンサーの正面図である。
【図５】そのII−II断面図である。
【図６】図２のケース本体のみを表した示す断面図である。
【図７】本形態のケース本体の正面図である。
【図８】本形態のペーパー支持体の上面図である。
【図９】図２の蓋体のみを表した断面図である。
【図１０】第２の実施の形態のケース本体の正面図である。
【図１１】第２の実施の形態の緩斜面、急斜面を説明するための側面図である。
【図１２】第３の実施の形態のケース本体とペーパー支持体が一体の例の側面図である。
【符号の説明】
【００８２】
１…ケース本体、２…ペーパー支持体、３…蓋体、１０…天板部、１１…背板部、１２…内側片部、１２Ａ…位置決め用孔、１２ａ…係止用長孔、１３Ａ…蓋体連結用円孔、１５…奥側ガイドリブ、１５ｔ…奥側ガイドリブ突出端、２０…取出口、２０Ｌ…細長部、２０Ｖ…凹欠部、２０ｅ…凹欠部の上縁、２１…位置決め用突起部、２２…係止片、２４…奥側傾斜面、２５…手前側傾斜面、２４Ａ，２５Ａ…上方側急斜面、２４Ｂ，２５Ｂ…下方側緩斜面、２４ｔ，２５ｔ…屈曲部分、２６…支持体側板、２７…垂直面（垂直壁）、２８，２８…変曲線、２９…突起部、２９ｔ…突起部の下部凸部、３０…天板部、３１…前板部、３１ｅ…前板部の下縁、３２…外側片部、３３…突起（円形突起）、３５…手前側ガイドリブ、３５ｔ…手前側ガイドリブ突出端、Ｘ１〜Ｘ３…衛生薄葉紙ディスペンサー、Ｌ１…ガイドリブの最下端における突出幅、Ｌ２…奧側ガイドリブの最下突出端と手前側ガイドリブの最下突出端との間の距離、Ｌ３…突起部と傾斜面との最短距離。
【図３】
0005279293.tif 000002
【図４】
0005279293.tif 000003
【図５】
0005279293.tif 000004
【図６】
0005279293.tif 000005
【図７】
0005279293.tif 000006
【図８】
0005279293.tif 000007
【図９】
0005279293.tif 000008
【図１０】
0005279293.tif 000009
【図１１】
0005279293.tif 000010
【図１２】
0005279293.tif 000011
【図１】
0005279293.tif 000012
【図２】
0005279293.tif 000013